(57)【特許請求の範囲】
【請求項１】
少なくとも一台の電話端末と、前記電話端末の呼制御を行う呼制御装置と、を有する電話システムであって、
前記電話端末は、
自電話端末を通常使用するホームユーザの電話番号であるホーム番号、および自電話端末を一時的に使用するテンポラリユーザの電話番号であるテンポラリ番号を記憶する電話番号記憶手段と、
前記電話番号記憶手段への前記テンポラリ番号の追加および前記電話番号記憶手段からの前記テンポラリ番号の削除を制御する電話番号追加・削除手段と、
前記電話番号記憶手段に前記テンポラリ番号が追加された場合に、前記呼制御装置に、当該テンポラリ番号の指定を含む追加要求を送信すると共に、前記電話番号記憶手段から前記テンポラリ番号が削除された場合に、前記呼制御装置に、当該テンポラリ番号の指定を含む削除要求を送信する要求手段と、
前記呼制御装置から呼び出された場合に呼出し処理を行う着信処理手段と、を有し、
前記呼制御装置は、
前記電話番号毎に、当該電話番号を前記ホーム番号とする前記電話端末の識別情報であるホーム識別情報、および当該電話番号を前記テンポラリ番号とする前記電話端末の識別情報であるテンポラリ識別情報を記憶する識別情報記憶手段と、
前記電話端末から前記追加要求を受信した場合に、当該電話端末の識別情報を前記テンポラリ識別情報として、当該追加要求で指定されている前記テンポラリ番号に対応付けて前記識別情報記憶手段に記憶し、前記電話端末から前記削除要求を受信した場合に、当該削除要求で指定されている前記テンポラリ番号に対応付けられて前記識別情報記憶手段に記憶されている前記テンポラリ識別情報を削除する識別情報追加・削除手段と、
接続要求があった場合に、当該接続要求の接続先の電話番号に対応付けられて前記識別情報記憶手段に記憶されている前記テンポラリ識別情報があるならば、当該テンポラリ識別情報により特定される前記電話端末を呼出し、当該接続要求の接続先の電話番号に対応付けられて前記識別情報記憶手段に記憶されている前記テンポラリ識別情報がないならば、当該接続要求の接続先の電話番号に対応付けられて前記識別情報記憶手段に記憶されている前記ホーム識別情報により特定される前記電話端末を呼び出す接続制御手段と、
電話番号毎に、着信音および着信表示の少なくとも一方の設定情報を含むユーザ設定情報を記憶するユーザ設定情報記憶手段と、
前記電話端末から前記追加要求を受信した場合に、当該追加要求で指定されている前記テンポラリ番号に対応付けられて前記ユーザ設定情報記憶手段に記憶されているユーザ設定情報を、当該追加要求の送信元に送信するユーザ設定情報送信手段と、を有し、
前記電話番号記憶手段は、
前記ホームユーザの前記ユーザ設定情報を前記ホーム番号に対応付けて記憶するとともに、前記テンポラリユーザの前記ユーザ設定情報を前記テンポラリ番号に対応付けて記憶し、
前記電話番号追加・削除手段は、
前記電話番号記憶手段に前記テンポラリ番号を追加した場合に、前記呼制御装置から前記ユーザ設定情報を受信して、当該ユーザ設定情報を前記テンポラリ番号に対応付けて前記電話番号記憶手段に記憶し、前記電話番号記憶手段から前記テンポラリ番号を削除する場合に、当該テンポラリ番号に対応付けられて前記電話番号記憶手段に記憶されている前記ユーザ設定情報を併せて削除し、
前記着信処理手段は、
前記呼制御装置から呼び出された場合に、呼出しのあて先の電話番号に対応付けられて前記電話番号記憶手段に記憶されている前記ユーザ設定情報に従って呼出し処理を行う
ことを特徴とする電話システム。
【請求項２】
少なくとも一台の電話端末と、前記電話端末の呼制御を行う呼制御装置と、を有する電話システムであって、
前記電話端末は、
自電話端末を通常使用するホームユーザの電話番号であるホーム番号、および自電話端末を一時的に使用するテンポラリユーザの電話番号であるテンポラリ番号を記憶する電話番号記憶手段と、
前記電話番号記憶手段への前記テンポラリ番号の追加および前記電話番号記憶手段からの前記テンポラリ番号の削除を制御する電話番号追加・削除手段と、
前記電話番号記憶手段に前記テンポラリ番号が追加された場合に、前記呼制御装置に、当該テンポラリ番号の指定を含む追加要求を送信すると共に、前記電話番号記憶手段から前記テンポラリ番号が削除された場合に、前記呼制御装置に、当該テンポラリ番号の指定を含む削除要求を送信する要求手段と、を有し、
前記呼制御装置は、
前記電話番号毎に、当該電話番号を前記ホーム番号とする前記電話端末の識別情報であるホーム識別情報、および当該電話番号を前記テンポラリ番号とする前記電話端末の識別情報であるテンポラリ識別情報を記憶する識別情報記憶手段と、
前記電話端末から前記追加要求を受信した場合に、当該電話端末の識別情報を前記テンポラリ識別情報として、当該追加要求で指定されている前記テンポラリ番号に対応付けて前記識別情報記憶手段に記憶し、前記電話端末から前記削除要求を受信した場合に、当該削除要求で指定されている前記テンポラリ番号に対応付けられて前記識別情報記憶手段に記憶されている前記テンポラリ識別情報を削除する識別情報追加・削除手段と、
接続要求があった場合に、当該接続要求の接続先の電話番号に従い前記電話端末を呼び出す接続制御手段と、を有し、
前記電話番号は、グループ電話番号であり、
前記ホーム識別情報は、マルチキャストアドレスであり、
前記テンポラリ識別情報は、ユニキャストアドレスであり、
前記接続制御手段は、
前記接続要求の接続先の電話番号に対応付けられて前記識別情報記憶手段に記憶されている前記テンポラリ識別情報があるならば、当該テンポラリ識別情報により特定される前記電話端末と、当該接続要求の接続先の電話番号に対応付けられて前記識別情報記憶手段に記憶されている前記ホーム識別情報により特定される前記電話端末各々とを呼び出し、当該接続要求の接続先の電話番号に対応付けられて前記識別情報記憶手段に記憶されている前記テンポラリ識別情報がないならば、当該接続要求の接続先の電話番号に対応付けられて前記識別情報記憶手段に記憶されている前記ホーム識別情報により特定される前記電話端末各々を呼び出す
ことを特徴とする電話システム。
【請求項３】
少なくとも一台の電話端末と、前記電話端末の呼制御を行う呼制御装置と、を有する電話システムであって、
前記電話端末は、
自電話端末を通常使用するホームユーザの電話番号であるホーム番号、および自電話端末を一時的に使用するテンポラリユーザの電話番号であるテンポラリ番号を記憶する電話番号記憶手段と、
前記電話番号記憶手段への前記テンポラリ番号の追加および前記電話番号記憶手段からの前記テンポラリ番号の削除を制御する電話番号追加・削除手段と、
前記電話番号記憶手段に前記テンポラリ番号が追加された場合に、前記呼制御装置に、当該テンポラリ番号の指定を含む追加要求を送信すると共に、前記電話番号記憶手段から前記テンポラリ番号が削除された場合に、前記呼制御装置に、当該テンポラリ番号の指定を含む削除要求を送信する要求手段と、
前記呼制御装置から当該呼制御装置が記録した留守録データを受信し再生する留守録再生手段と、を有し、
前記呼制御装置は、
前記電話番号毎に、当該電話番号を前記ホーム番号とする前記電話端末の識別情報であるホーム識別情報、および当該電話番号を前記テンポラリ番号とする前記電話端末の識別情報であるテンポラリ識別情報を記憶する識別情報記憶手段と、
前記電話端末から前記追加要求を受信した場合に、当該電話端末の識別情報を前記テンポラリ識別情報として、当該追加要求で指定されている前記テンポラリ番号に対応付けて前記識別情報記憶手段に記憶し、前記電話端末から前記削除要求を受信した場合に、当該削除要求で指定されている前記テンポラリ番号に対応付けられて前記識別情報記憶手段に記憶されている前記テンポラリ識別情報を削除する識別情報追加・削除手段と、
接続要求があった場合に、当該接続要求の接続先の電話番号に対応付けられて前記識別情報記憶手段に記憶されている前記テンポラリ識別情報があるならば、当該テンポラリ識別情報により特定される前記電話端末を呼出し、当該接続要求の接続先の電話番号に対応付けられて前記識別情報記憶手段に記憶されている前記テンポラリ識別情報がないならば、当該接続要求の接続先の電話番号に対応付けられて前記識別情報記憶手段に記憶されている前記ホーム識別情報により特定される前記電話端末を呼び出す接続制御手段と、
前記接続制御手段により呼び出された前記電話端末が応答しない場合に、前記接続要求に応答して当該接続要求の送信元の前記留守録データを記録し、当該留守録データを当該接続要求の接続先番号に対応付けて保存する留守録手段と、
前記電話端末から前記追加要求を受信した場合に、当該追加要求で指定されている前記テンポラリ番号に対応付けられて前記留守録手段に保存されている前記留守録データを、当該追加要求の送信元に送信する留守録データ送信手段と、を有する
ことを特徴とする電話システム。
【請求項４】
請求項１ないし３のいずれか一項に記載の電話システムであって、
前記呼制御装置は、
電話番号毎に、着信音および着信表示の少なくとも一方の設定情報を含むユーザ設定情報を記憶するユーザ設定情報記憶手段をさらに有し、
前記接続制御手段は、
前記接続要求の接続先番号に対応付けられて前記ユーザ設定情報記憶手段に記憶されているユーザ設定情報に従い、呼出先の前記電話端末を呼び出す
ことを特徴とする電話システム。
【請求項５】
請求項１ないし４のいずれか一項に記載の電話システムであって、
前記電話端末は、
無線タグを検出する検出手段と、
前記検出手段によって検出された前記無線タグから電話番号を読み取る読取手段と、をさらに有し、
前記電話番号追加・削除手段は、
前記検出手段により前記無線タグが検出された場合に、前記読取手段によって当該無線タグから読み取られた電話番号を前記テンポラリ番号として前記電話番号記憶手段に追加し、前記検出手段により前記無線タグが検出されなくなった場合に、前記読取手段によって当該無線タグから読み取られ、前記テンポラリ番号として前記電話番号記憶手段に記憶された電話番号を前記電話番号記憶手段から削除する
ことを特徴とする電話システム。
【請求項６】
請求項１ないし４のいずれか一項に記載の電話システムであって、
前記電話端末は、
携帯端末の充電台への装着状態を検出する検出手段と、
前記検出手段によって前記充電台への装着が検出された前記携帯端末に取り付けられている無線タグから電話番号を読み取る読取手段と、をさらに有し、
前記電話番号追加・削除手段は、
前記検出手段により前記充電台への前記携帯端末の装着が検出された場合に、前記読取手段によって当該携帯端末に取り付けられた前記無線タグから読み取られた電話番号を前記テンポラリ番号として前記電話番号記憶手段に追加し、前記検出手段により前記充電台からの前記携帯端末の離脱が検出された場合に、前記読取手段によって当該携帯端末に取り付けられた前記無線タグから読み取られ、前記テンポラリ番号として前記電話番号記憶手段に記憶された電話番号を前記電話番号記憶手段から削除する
ことを特徴とする電話システム。
【請求項７】
請求項１ないし６のいずれか一項に記載の電話システムの構成要素として用いられる電話端末。
【請求項８】
請求項１ないし６のいずれか一項に記載の電話システムの構成要素として用いられる呼制御装置。
【発明の詳細な説明】
【技術分野】
【０００１】
本発明は、呼制御装置による電話端末の呼出し（接続）技術に関する。
【背景技術】
【０００２】
特許文献１には、自営網に加入者登録されていない携帯電話端末が自営網の圏内に入ったときの携帯電話端末の使い勝手をよくする技術が開示されている。この技術では、公衆網に接続された構内交換機と、構内交換機に接続された自営網基地局とを備える自営網のサービスエリア内へ、事前に加入者登録されていない携帯電話端末が進入してきたとき、自営網内の内線番号を携帯端末に割り付け、自営網内の内線電話端末と携帯電話端末との間の自営網内の内線による通信を許可する。また、携帯電話端末が自営網のサービスエリア外に出たとき、携帯電話端末に割り付けられている内線番号を取り消す。これにより、携帯電話端末は、自営網内にいるときだけ、公衆網を介さずに自営網の内線通話が可能となる。
【０００３】
また、特許文献２には、企業内における内線番号の管理を行う内線通話システムに関し、人事異動等に基づき生じる内線番号リストを正確且つ容易に作成する技術が開示されている。この技術では、パーソナルコンピュータ内で内線登録処理を実行すると、内線電話端末に配設されたＩＣタグからＩＣタグリーダにより読み取られた内線番号と、個人認証処理で取得される個人情報とが電話サーバに送信される。そして、電話サーバでは、登録禁止データの有無等の条件を満たす場合に、この内線番号に対応付けて個人情報を内線データベースに登録する。
【０００４】
また、特許文献３には、転送機能を改良した内線通話システムに関する技術が開示されている。この技術では、無線タグを有するクレイドルと携帯型の内線電話端末との組を複数有する内線電話システムが構成される。携帯型の内線電話端末は、着信に応答した後、転送先候補の中から指示された内線番号へ転送する転送手段と、無線タグのリーダライタと、無線タグを動作させ、各クレイドルの無線タグから内線番号情報を収集する番号収集手段と、収集した内線番号情報を転送先候補として表示する転送先表示手段と、を有する。ここで、クレイドルの無線タグは、このクレイドルと組の携帯型の内線電話端末の内線番号を保持している。
【特許文献１】特開２００１−３２０７５５号公報
【特許文献２】特開２００７−０２８２４０号公報
【特許文献３】特開２００７−２２８１９４号公報
【発明の開示】
【発明が解決しようとする課題】
【０００５】
一般に、携帯電話端末は、固定電話端末に比べて、利用できる機能、サービスが限定される。このため、移動先で携帯電話端末を利用する場合は、自身の座席に設置されている固定電話端末と同じような機能やサービスを期待できないことが多い。上記の特許文献１乃至３に記載の技術は、この点を考慮していない。
【０００６】
本発明は上記事情に鑑みてなされたものであり、本発明の目的は、ユーザが、移動先の電話端末を、自身の座席に設置されている電話端末として取り扱うことのできる技術を提供することにある。
【課題を解決するための手段】
【０００７】
上記課題を解決するために、本発明において、電話端末は、自電話端末を通常使用するホームユーザの電話番号であるホーム番号に加え、自電話端末を一時的に使用するテンポラリユーザの電話番号であるテンポラリ番号が設定された場合に、呼制御装置に、このテンポラリ番号の指定を含む追加要求を送信し、テンポラリ番号の設定が解除された場合に、呼制御装置に、このテンポラリ番号の指定を含む削除要求を送信する。
【０００８】
また、呼制御装置は、電話端末から追加要求を受信した場合に、この電話端末の識別情報をテンポラリ識別情報として、この追加要求で指定されているテンポラリ番号に対応付けて記憶するとともに、電話端末から削除要求を受信した場合に、この削除要求で指定されているテンポラリ番号に対応付けられて記憶されているテンポラリ識別情報を削除する。そして、呼制御装置は、接続要求があった場合に、この接続要求の接続先の電話番号に対応付けられて記憶されているテンポラリ識別情報があるならば、このテンポラリ識別情報により特定される電話端末を呼び出す。この接続要求の接続先番号に対応付けられて記憶されているテンポラリ識別情報がないならば、この接続要求の接続先の電話番号に対応付けられて予め記憶されているホーム識別情報により特定される電話端末を呼び出す。
【０００９】
例えば、本発明は、少なくとも一台の電話端末と、前記電話端末の呼制御を行う呼制御装置と、を有する電話システムであって、
前記電話端末は、
自電話端末を通常使用するホームユーザの電話番号であるホーム番号、および自電話端末を一時的に使用するテンポラリユーザの電話番号であるテンポラリ番号を記憶する電話番号記憶手段と、
前記電話番号記憶手段への前記テンポラリ番号の追加および前記電話番号記憶手段からの前記テンポラリ番号の削除を制御する電話番号追加・削除手段と、
前記電話番号記憶手段に前記テンポラリ番号が追加された場合に、前記呼制御装置に、当該テンポラリ番号の指定を含む追加要求を送信すると共に、前記電話番号記憶手段から前記テンポラリ番号が削除された場合に、前記呼制御装置に、当該テンポラリ番号の指定を含む削除要求を送信する要求手段と、
前記呼制御装置から呼び出された場合に呼出し処理を行う着信処理手段と、を有し、
前記呼制御装置は、
前記電話番号毎に、当該電話番号を前記ホーム番号とする前記電話端末の識別情報であるホーム識別情報、および当該電話番号を前記テンポラリ番号とする前記電話端末の識別情報であるテンポラリ識別情報を記憶する識別情報記憶手段と、
前記電話端末から前記追加要求を受信した場合に、当該電話端末の識別情報を前記テンポラリ識別情報として、当該追加要求で指定されている前記テンポラリ番号に対応付けて前記識別情報記憶手段に記憶し、前記電話端末から前記削除要求を受信した場合に、当該削除要求で指定されている前記テンポラリ番号に対応付けられて前記識別情報記憶手段に記憶されている前記テンポラリ識別情報を削除する識別情報追加・削除手段と、
接続要求があった場合に、当該接続要求の接続先の電話番号に対応付けられて前記識別情報記憶手段に記憶されている前記テンポラリ識別情報があるならば、当該テンポラリ識別情報により特定される前記電話端末を呼出し、当該接続要求の接続先の電話番号に対応付けられて前記識別情報記憶手段に記憶されている前記テンポラリ識別情報がないならば、当該接続要求の接続先の電話番号に対応付けられて前記識別情報記憶手段に記憶されている前記ホーム識別情報により特定される前記電話端末を呼び出す接続制御手段と、
電話番号毎に、着信音および着信表示の少なくとも一方の設定情報を含むユーザ設定情報を記憶するユーザ設定情報記憶手段と、
前記電話端末から前記追加要求を受信した場合に、当該追加要求で指定されている前記テンポラリ番号に対応付けられて前記ユーザ設定情報記憶手段に記憶されているユーザ設定情報を、当該追加要求の送信元に送信するユーザ設定情報送信手段と、を有し、
前記電話番号記憶手段は、
前記ホームユーザの前記ユーザ設定情報を前記ホーム番号に対応付けて記憶するとともに、前記テンポラリユーザの前記ユーザ設定情報を前記テンポラリ番号に対応付けて記憶し、
前記電話番号追加・削除手段は、
前記電話番号記憶手段に前記テンポラリ番号を追加した場合に、前記呼制御装置から前記ユーザ設定情報を受信して、当該ユーザ設定情報を前記テンポラリ番号に対応付けて前記電話番号記憶手段に記憶し、前記電話番号記憶手段から前記テンポラリ番号を削除する場合に、当該テンポラリ番号に対応付けられて前記電話番号記憶手段に記憶されている前記ユーザ設定情報を併せて削除し、
前記着信処理手段は、
前記呼制御装置から呼び出された場合に、呼出しのあて先の電話番号に対応付けられて前記電話番号記憶手段に記憶されている前記ユーザ設定情報に従って呼出し処理を行う。
あるいは、本発明は、少なくとも一台の電話端末と、前記電話端末の呼制御を行う呼制御装置と、を有する電話システムであって、
前記電話端末は、
自電話端末を通常使用するホームユーザの電話番号であるホーム番号、および自電話端末を一時的に使用するテンポラリユーザの電話番号であるテンポラリ番号を記憶する電話番号記憶手段と、
前記電話番号記憶手段への前記テンポラリ番号の追加および前記電話番号記憶手段からの前記テンポラリ番号の削除を制御する電話番号追加・削除手段と、
前記電話番号記憶手段に前記テンポラリ番号が追加された場合に、前記呼制御装置に、当該テンポラリ番号の指定を含む追加要求を送信すると共に、前記電話番号記憶手段から前記テンポラリ番号が削除された場合に、前記呼制御装置に、当該テンポラリ番号の指定を含む削除要求を送信する要求手段と、を有し、
前記呼制御装置は、
前記電話番号毎に、当該電話番号を前記ホーム番号とする前記電話端末の識別情報であるホーム識別情報、および当該電話番号を前記テンポラリ番号とする前記電話端末の識別情報であるテンポラリ識別情報を記憶する識別情報記憶手段と、
前記電話端末から前記追加要求を受信した場合に、当該電話端末の識別情報を前記テンポラリ識別情報として、当該追加要求で指定されている前記テンポラリ番号に対応付けて前記識別情報記憶手段に記憶し、前記電話端末から前記削除要求を受信した場合に、当該削除要求で指定されている前記テンポラリ番号に対応付けられて前記識別情報記憶手段に記憶されている前記テンポラリ識別情報を削除する識別情報追加・削除手段と、
接続要求があった場合に、当該接続要求の接続先の電話番号に従い前記電話端末を呼び出す接続制御手段と、を有し、
前記電話番号は、グループ電話番号であり、
前記ホーム識別情報は、マルチキャストアドレスであり、
前記テンポラリ識別情報は、ユニキャストアドレスであり、
前記接続制御手段は、
前記接続要求の接続先の電話番号に対応付けられて前記識別情報記憶手段に記憶されている前記テンポラリ識別情報があるならば、当該テンポラリ識別情報により特定される前記電話端末と、当該接続要求の接続先の電話番号に対応付けられて前記識別情報記憶手段に記憶されている前記ホーム識別情報により特定される前記電話端末各々とを呼び出し、当該接続要求の接続先の電話番号に対応付けられて前記識別情報記憶手段に記憶されている前記テンポラリ識別情報がないならば、当該接続要求の接続先の電話番号に対応付けられて前記識別情報記憶手段に記憶されている前記ホーム識別情報により特定される前記電話端末各々を呼び出す。
あるいは、本発明は、少なくとも一台の電話端末と、前記電話端末の呼制御を行う呼制御装置と、を有する電話システムであって、
前記電話端末は、
自電話端末を通常使用するホームユーザの電話番号であるホーム番号、および自電話端末を一時的に使用するテンポラリユーザの電話番号であるテンポラリ番号を記憶する電話番号記憶手段と、
前記電話番号記憶手段への前記テンポラリ番号の追加および前記電話番号記憶手段からの前記テンポラリ番号の削除を制御する電話番号追加・削除手段と、
前記電話番号記憶手段に前記テンポラリ番号が追加された場合に、前記呼制御装置に、当該テンポラリ番号の指定を含む追加要求を送信すると共に、前記電話番号記憶手段から前記テンポラリ番号が削除された場合に、前記呼制御装置に、当該テンポラリ番号の指定を含む削除要求を送信する要求手段と、
前記呼制御装置から当該呼制御装置が記録した留守録データを受信し再生する留守録再生手段と、を有し、
前記呼制御装置は、
前記電話番号毎に、当該電話番号を前記ホーム番号とする前記電話端末の識別情報であるホーム識別情報、および当該電話番号を前記テンポラリ番号とする前記電話端末の識別情報であるテンポラリ識別情報を記憶する識別情報記憶手段と、
前記電話端末から前記追加要求を受信した場合に、当該電話端末の識別情報を前記テンポラリ識別情報として、当該追加要求で指定されている前記テンポラリ番号に対応付けて前記識別情報記憶手段に記憶し、前記電話端末から前記削除要求を受信した場合に、当該削除要求で指定されている前記テンポラリ番号に対応付けられて前記識別情報記憶手段に記憶されている前記テンポラリ識別情報を削除する識別情報追加・削除手段と、
接続要求があった場合に、当該接続要求の接続先の電話番号に対応付けられて前記識別情報記憶手段に記憶されている前記テンポラリ識別情報があるならば、当該テンポラリ識別情報により特定される前記電話端末を呼出し、当該接続要求の接続先の電話番号に対応付けられて前記識別情報記憶手段に記憶されている前記テンポラリ識別情報がないならば、当該接続要求の接続先の電話番号に対応付けられて前記識別情報記憶手段に記憶されている前記ホーム識別情報により特定される前記電話端末を呼び出す接続制御手段と、
前記接続制御手段により呼び出された前記電話端末が応答しない場合に、前記接続要求に応答して当該接続要求の送信元の前記留守録データを記録し、当該留守録データを当該接続要求の接続先番号に対応付けて保存する留守録手段と、
前記電話端末から前記追加要求を受信した場合に、当該追加要求で指定されている前記テンポラリ番号に対応付けられて前記留守録手段に保存されている前記留守録データを、当該追加要求の送信元に送信する留守録データ送信手段と、を有する。
【発明の効果】
【００１０】
本発明によれば、ユーザは、移動先の電話端末を自身の座席に設置されている電話端末として取り扱うことができる。また、ホームユーザおよびテンポラリユーザ間で電話端末を共用することができる。
【発明を実施するための最良の形態】
【００１１】
以下、本発明の実施の形態について説明する。
【００１２】
［第一実施の形態］
図１は、本発明の第一実施の形態に係るＩＰ電話システムの概略構成図である。
【００１３】
図示するように、本実施の形態のＩＰ電話システムは、複数のＩＰ電話端末２と、ＩＰ電話端末２の呼制御を行う呼制御装置１と、複数のＩＰ電話端末２および呼制御装置１間を相互接続するＬＡＮ３と、各ＩＰ電話端末２のユーザが常時携帯もしくは着用する物（例えば社員証）に取り付けられる無線タグ４と、を有する。また、呼制御装置１は、図示しないがゲートウェイを介して外部ネットワーク（ＷＡＮ）と通信し、外線通話を行う。
【００１４】
ＩＰ電話端末２は、自ＩＰ電話端末２を通常使用するホームユーザの内線番号あるいはグループ番号であるホーム番号に加え、自ＩＰ電話端末２を一時的に使用するテンポラリユーザの内線番号あるいはグループ番号であるテンポラリ番号が設定された場合に、このテンポラリ番号の指定を含む追加要求を呼制御装置１に送信し、テンポラリ番号の設定が解除された場合に、このテンポラリ番号の指定を含む削除要求を呼制御装置１に送信する。
【００１５】
なお、ＩＰ電話端末２は、近傍に無線タグ４が存在するか否かを監視し、無線タグ４を検出した場合に、この無線タグ４から電話番号を読み取って、この電話番号がホーム番号以外であるならば、これをテンポラリ番号に設定する。また、この電話番号を記憶した無線タグ４を検出しなくなった場合に、このテンポラリ番号の設定を解除する。
【００１６】
また、呼制御装置１は、ＩＰ電話端末２から追加要求を受信した場合に、このＩＰ電話端末２のＩＰアドレスをテンポラリアドレスとして、この追加要求で指定されているテンポラリ番号に対応付けて記憶するとともに、ＩＰ電話端末２から削除要求を受信した場合に、この削除要求で指定されているテンポラリ番号に対応付けられて記憶されているテンポラリアドレスを削除する。
【００１７】
そして、呼制御装置１は、接続要求を受信した場合に、この接続要求の接続先番号に対応付けられて記憶されているテンポラリアドレスがあるならば、このテンポラリアドレスにより特定されるＩＰ電話端末２を呼び出す。一方、この接続要求の接続先番号に対応付けられて記憶されているテンポラリアドレスがないならば、この接続要求の接続先番号に対応付けられて予め記憶されているホームアドレスにより特定されるＩＰ電話端末２を呼び出す。ここで、ある内線番号あるいはグループ番号に対応するホームアドレスとは、この内線番号あるいはグループ番号をホーム番号とするＩＰ電話端末２のＩＰアドレスを意味する。
【００１８】
次に、本実施の形態に係るＩＰ電話システムの構成要素である呼制御装置１およびＩＰ電話端末２を詳しく説明する。
【００１９】
先ず、呼制御装置１を説明する。
【００２０】
図２は、呼制御装置１の概略構成図である。
【００２１】
図示するように、呼制御装置１は、通信ＩＦ部１１と、アドレス管理ＴＢ記憶部１２と、アドレス管理部１３と、ユーザ設定情報記憶部１４と、ユーザ設定情報送信部１５と、呼制御部１６と、を有する。
【００２２】
通信ＩＦ部１１は、ＬＡＮ３を介してＩＰ電話端末２と通信を行うためのインターフェースである。
【００２３】
アドレス管理ＴＢ記憶部１２には、個別管理ＴＢ１２１と、グループ管理ＴＢ１２２とが記憶されている。
【００２４】
個別管理ＴＢ１２１は、内線番号毎に、この内線番号が割り当てられたＩＰ電話端末２のＩＰアドレスを管理するためのテーブルである。図３（Ａ）は、個別管理ＴＢ１２１の登録内容例を模式的に表した図である。図示するように、個別管理ＴＢ１２１は、内線番号毎にレコード１２１０を有する。レコード１２１０は、内線番号を登録するフィールド１２１１と、この内線番号をホーム番号とするＩＰ電話端末２のユニキャストアドレスであるホームアドレスを登録するフィールド１２１２と、この内線番号をテンポラリ番号とするＩＰ電話端末２のユニキャストアドレスであるテンポラリアドレスを登録するフィールド１２１３と、を有する。各レコード１２１０のフィールド１２１１、１２１２には、内線番号、ホームアドレスが予め登録されている。これに対し、フィールド１２１３には、後述するアドレス管理部１３によりテンポラリアドレスが追加・削除される。
【００２５】
グループ管理ＴＢ１２２は、グループ番号毎に、このグループ番号が割り当てられたマルチキャストアドレスを管理するためのテーブルであり、このマルチキャストアドレスに予め複数のＩＰ電話端末２が参加している。図３（Ｂ）は、グループ管理ＴＢ１２２の登録内容例を模式的に表した図である。図示するように、グループ管理ＴＢ１２２は、グループ番号毎にレコード１２２０を有する。レコード１２２０は、グループ番号を登録するフィールド１２２１と、このグループ番号をホーム番号として予め複数のＩＰ電話端末２が参加しているマルチキャストアドレスであるホームアドレスを登録するフィールド１２２２と、このグループ番号をテンポラリ番号とするＩＰ電話端末２のユニキャストアドレスであるテンポラリアドレスを登録するフィールド１２２３と、を有する。各レコード１２２０のフィールド１２２１、１２２２には、グループ番号、ホームアドレスが予め登録されている。これに対し、フィールド１２２３は、後述するアドレス管理部１３によりテンポラリアドレスが追加・削除される。
【００２６】
アドレス管理部１３は、通信ＩＦ部１１を介してＩＰ電話端末２から追加要求を受信した場合に、この追加要求で指定されているテンポラリ番号をキーにして、個別管理ＴＢ１２１、グループ管理ＴＢ１２２からレコード１２１０、１２２０を検索し、この検索したレコード１２１０、１２２０のフィールド１２１３、１２２３に、このＩＰ電話端末２のＩＰアドレスをテンポラリアドレスとして登録する。また、このテンポラリ番号およびこのＩＰ電話端末２のＩＰアドレスをユーザ設定情報送信部１５に通知する。
【００２７】
また、アドレス管理部１３は、通信ＩＦ部１１を介してＩＰ電話端末２から削除要求を受信した場合に、この削除要求で指定されているテンポラリ番号をキーにして、個別管理ＴＢ１２１、グループ管理ＴＢ１２２からレコード１２１０、１２２０を検索し、この検索したレコード１２１０、１２２０のフィールド１２１３、１２２３から、テンポラリアドレスとして登録されているこのＩＰ電話端末２のＩＰアドレスを削除する。
【００２８】
ユーザ設定情報記憶部１４には、電話番号（内線番号およびグループ番号）毎に、ユーザ設定情報が記憶されている。図３（Ｃ）は、ユーザ設定情報記憶部１４の登録内容例を模式的に表した図である。図示するように、ユーザ設定情報記憶部１４は、電話番号毎にレコード１４０を有する。レコード１４０は、電話番号（内線番号あるいはグループ番号）を登録するフィールド１４１と、この電話番号のユーザの設定情報であるユーザ設定情報を登録するフィールド１４２と、を有する。ここで、ユーザ設定情報は、着信音および着信表示（ＬＥＤの表示色、ＬＣＤの表示内容等）の少なくとも一方の設定情報を含む。
【００２９】
ユーザ設定情報送信部１５は、アドレス管理部１３より通知されたテンポラリ番号をキーにしてユーザ設定情報記憶部１４からレコード１４０を検索する。そして、検索したレコード１４０のフィールド１４２に登録されているユーザ設定情報を、このテンポラリ番号と共にアドレス管理部１３より通知されたＩＰアドレスにより特定されるＩＰ電話端末２に、通信ＩＦ部１１を介して送信する。
【００３０】
呼制御部１６は、ＳＩＰ等の所定の呼制御プロトコルに従い、ＩＰ電話端末２の呼制御を行う。具体的には、呼制御部１６は、通信ＩＦ部１１を介して接続要求を受信した場合に、この接続要求の接続先番号に対応付けられて個別管理ＴＢ１２１、グループ管理ＴＢ１２２のフィールド１２１３、１２２３に記憶されているテンポラリアドレスがあるならば、このテンポラリアドレスに対して接続処理を行い、この接続要求の接続先番号に対応付けられて個別管理ＴＢ１２１、グループ管理ＴＢ１２２に記憶されているテンポラリアドレスがないならば、この接続要求の接続先番号に対応付けられて個別管理ＴＢ１２１、グループ管理ＴＢ１２２のフィールド１２１２、１２２２に記憶されているホームアドレスに対して接続処理を行う。
【００３１】
図４は、呼制御装置１の動作を説明するためのフロー図である。
【００３２】
アドレス管理部１３は、通信ＩＦ部１１を介してＩＰ電話端末２から追加要求を受信すると（Ｓ１０１でＹＥＳ）、この追加要求の送信元のＩＰアドレスをテンポラリアドレスとして、この追加要求で指定されているテンポラリ番号に対応付けてアドレス管理ＴＢ記憶部１２に記憶する（Ｓ１０２）。
【００３３】
具体的には、追加要求で指定されているテンポラリ番号が内線番号であるならば、このテンポラリ番号をキーにして個別管理ＴＢ１２１からレコード１２１０を検索し、このレコード１２１０のフィールド１２１３に、追加要求の送信元のＩＰアドレスを登録する。また、追加要求で指定されているテンポラリ番号がグループ番号であるならば、このテンポラリ番号をキーにしてグループ管理ＴＢ１２２からレコード１２２０を検索し、このレコード１２２０のフィールド１２２３に、追加要求の送信元のＩＰアドレスを登録する。また、内線番号およびグループ番号のそれぞれがテンポラリ番号として追加要求で指定されているならば、それぞれのテンポラリ番号に対して上述の対応する処理を行う。なお、テンポラリ番号が内線番号であるか、それともグループ番号であるかは、例えば内線番号を割り当てる範囲と、グループ番号を割り当てる範囲とを予め定めておき、テンポラリ番号がどちらの範囲に属するかにより判断してもよい。あるいは、テンポラリ番号が個別管理ＴＢ１２１およびグループ管理ＴＢ１２２のどちらのテーブルに登録されているかを調べることで判断してもよい。
【００３４】
次に、アドレス管理部１３は、受信した追加要求で指定されているテンポラリ番号およびこの追加要求の送信元のＩＰアドレスを、ユーザ設定情報送信部１５に通知する。これを受けて、ユーザ設定情報送信部１５は、このテンポラリ番号をキーにしてユーザ設定情報記憶部１４からレコード１４０を検索する。そして、検索したレコード１４０のフィールド１４２に登録されているユーザ設定情報を、テンポラリ番号と共に通知されたＩＰアドレスにより特定されるＩＰ電話端末２に、通信ＩＦ部１１を介して送信する（Ｓ１０３）。
【００３５】
また、通信ＩＦ部１１を介してＩＰ電話端末２から削除要求を受信すると（Ｓ１０４でＹＥＳ）、アドレス管理部１３は、この削除要求で指定されているテンポラリ番号に対応付けられて、テンポラリアドレスとしてアドレス管理ＴＢ記憶部１２に記憶されているこの削除要求の送信元のＩＰアドレスを削除する（Ｓ１０５）。
【００３６】
具体的には、削除要求で指定されているテンポラリ番号が内線番号であるならば、このテンポラリ番号をキーにして個別管理ＴＢ１２１からレコード１２１０を検索し、このレコード１２１０のフィールド１２１３に登録されている削除要求の送信元のＩＰアドレスを削除する。また、削除要求で指定されているテンポラリ番号がグループ番号であるならば、このテンポラリ番号をキーにしてグループ管理ＴＢ１２２からレコード１２２０を検索し、このレコード１２２０のフィールド１２２３に登録されている削除要求の送信元のＩＰアドレスを削除する。また、内線番号およびグループ番号のそれぞれがテンポラリ番号として削除要求で指定されているならば、それぞれのテンポラリ番号に対して上述の対応する処理を行う。
【００３７】
また、呼制御部１６は、通信ＩＦ部１１を介してＩＰ電話端末２から接続要求を受信すると（Ｓ１０６でＹＥＳ）、接続要求で指定されている接続先の電話番号を解析して、上述と同じ要領により、この電話番号が内線番号であるか、それともグループ番号であるかを判断する（Ｓ１０７）。
【００３８】
Ｓ１０７において、接続先の電話番号が内線番号の場合（Ｓ１０７で内線番号）、呼制御部１６は、この内線番号をキーにして個別管理ＴＢ１２１からレコード１２１０を検索し、このレコード１２１０のフィールド１２１３にテンポラリアドレスが登録されているか否かを調べる（Ｓ１０８）。そして、テンポラリアドレスが登録されているならば（Ｓ１０９でＹＥＳ）、呼制御部１６は、このテンポラリアドレスにより特定されるＩＰ電話端末２に対して接続処理を行って、このＩＰ電話端末２を呼び出す（Ｓ１１０）。一方、テンポラリアドレスが登録されていないならば（Ｓ１０９でＮＯ）、呼制御部１６は、Ｓ１０８で検索したレコード１２１０のフィールド１２１２に登録されているホームアドレスにより特定されるＩＰ電話端末２に対して接続処理を行って、このＩＰ電話端末２を呼び出す（Ｓ１１１）。
【００３９】
また、Ｓ１０７において、接続先の電話番号がグループ番号の場合（Ｓ１０７でグループ番号）、呼制御部１６は、このグループ番号をキーにしてグループ管理ＴＢ１２２からレコード１２２０を検索し、このレコード１２２０のフィールド１２２３にテンポラリアドレスが登録されているか否かを調べる（Ｓ１１３）。そして、テンポラリアドレスが登録されているならば（Ｓ１１３でＹＥＳ）、呼制御部１６は、このテンポラリアドレスにより特定されるＩＰ電話端末２と、このレコード１２２０のフィールド１２２２に登録されているホームアドレスにより特定されるマルチキャストグループに属する各ＩＰ電話端末２とに対して接続処理を行って、これらのＩＰ電話端末２を呼び出す（Ｓ１１４）。一方、テンポラリアドレスが登録されていないならば（Ｓ１１３でＮＯ）、呼制御部１６は、このレコード１２２０のフィールド１２２２に登録されているホームアドレスにより特定されるマルチキャストグループに属する各ＩＰ電話端末２に対して接続処理を行って、これらのＩＰ電話端末２を呼び出す（Ｓ１１５）。
【００４０】
次に、ＩＰ電話端末２を説明する。
【００４１】
図５は、ＩＰ電話端末２の概略構成図である。
【００４２】
図示するように、ＩＰ電話端末２は、通信ＩＦ部２１と、番号情報記憶部２２と、無線タグ読取部２３と、番号管理部２４と、追加・削除要求部２５と、電話機能部２６と、を有する。
【００４３】
通信ＩＦ部２１は、ＬＡＮ３を介して呼制御装置１および他のＩＰ電話端末２と通信を行うためのインターフェースである。
【００４４】
番号情報記憶部２２には、ホーム番号管理ＴＢ２２１と、テンポラリ番号管理ＴＢ２２２とが記憶されている。
【００４５】
ホーム番号管理ＴＢ２２１は、自ＩＰ電話端末２に割り当てられているホーム番号を管理するためのテーブルである。図６（Ａ）は、ホーム番号管理ＴＢ２２１の登録内容例を模式的に表した図である。図示するように、ホーム番号管理ＴＢ２２１は、ホーム番号毎にレコード２２１０を有する。レコード２２１０は、ホーム番号を登録するフィールド２２１１と、このホーム番号の番号種別（内線番号か、それともグループ番号か）を登録するフィールド２２１２と、このホーム番号に対応するユーザ設定情報を登録するフィールド２２１３と、を有する。ここで、ユーザ設定情報は、着信音および着信表示の少なくとも一方の設定情報を含む。
【００４６】
テンポラリ番号管理ＴＢ２２２は、自ＩＰ電話端末２に割り当てられているテンポラリ番号を管理するためのテーブルである。図６（Ｂ）は、テンポラリ番号管理ＴＢ２２２の登録内容例を模式的に表した図である。図示するように、テンポラリ番号管理ＴＢ２２２は、テンポラリ番号毎にレコード２２２０を有する。レコード２２２０は、テンポラリ番号を登録するフィールド２２２１と、このテンポラリ番号の番号種別（内線番号か、それともグループ番号か）を登録するフィールド２２２２と、このテンポラリ番号に対応するユーザ設定情報を登録するフィールド２２２３と、レコード２２２０の更新日時を登録するフィールド２２２４と、を有する。ここで、ユーザ設定情報は、着信音および着信表示の少なくとも一方の設定情報を含む。
【００４７】
無線タグ読取部２３は、定期的（例えば１秒後毎）に自ＩＰ電話端末２の近傍（無線タグ読取部２３の読取圏内）に存在する無線タグ４をサーチする。そして、無線タグ４を検出した場合に、この無線タグ４に格納されている電話番号を読み取って、それを番号管理部２４に通知する。
【００４８】
番号管理部２４は、無線タグ読取部２３から通知された電話番号に基づいてテンポラリ番号管理ＴＢ２２２を更新する。また、番号管理部２４は、テンポラリ番号管理ＴＢ２２２にレコード２２２０を追加した場合に、このレコード２２２０のフィールド２２２１に登録されているテンポラリ番号の追加を追加・削除要求部２５に指示して、追加・削除要求部２５からユーザ設定情報を取得し、このユーザ設定情報を、このレコード２２２０のフィールド２２２３に登録する。また、番号管理部２４は、テンポラリ番号管理ＴＢ２２２からレコード２２２０を削除した場合に、このレコード２２２０のフィールド２２２１に登録されていたテンポラリ番号の削除を追加・削除要求部２５に指示する。
【００４９】
追加・削除要求部２５は、番号管理部２４からテンポラリ番号の追加を指示された場合に、このテンポラリ番号の指定を含む追加要求を生成して、この追加要求を、通信ＩＦ部２１を介して呼制御装置１に送信する。そして、通信ＩＦ部２１を介して呼制御装置１からユーザ設定情報を受信して番号管理部２４に通知する。また、追加・削除要求部２５は、番号管理部２４からテンポラリ番号の削除を指示された場合に、このテンポラリ番号の指定を含む削除要求を生成して、この削除要求を、通信ＩＦ部２１を介して呼制御装置１に送信する。
【００５０】
電話機能部２６は、ＩＰ電話の発着信、通話、保留等の基本機能に加え、ボタン割り付け、短縮ダイヤル、電話帳等のサービス機能を実現する。また、電話機能部２６は、通信ＩＦ部２１を介して接続要求を受信した場合に、この接続要求の接続先番号に対応付けられてホーム番号管理ＴＢ２２１、テンポラリ番号管理ＴＢ２２２に登録されているユーザ設定情報に従って着信音、着信表示等を制御する。
【００５１】
図７は、ＩＰ電話端末２のテンポラリ番号管理動作を説明するためのフロー図である。
【００５２】
無線タグ読取部２３は、定期的に到来するサーチタイミングになると（Ｓ２０１でＹＥＳ）、自ＩＰ電話端末２の近傍（無線タグ読取部２３の読取圏内）に存在する無線タグ４をサーチする（Ｓ２０２）。無線タグ４を一つも検出できなかった場合は（Ｓ２０３でＮＯ）、Ｓ２１６に進む。一方、少なくとも一つの無線タグ４を検出できた場合（Ｓ２０３でＹＥＳ）、無線タグ読取部２３は、検出した無線タグ４のなかから未選択の無線タグ４を選択する（Ｓ２０４）。そして、選択した無線タグ４から電話番号を読み取って、その電話番号を番号管理部２４に通知する（Ｓ２０５）。
【００５３】
次に、番号管理部２４は、ホーム番号管理ＴＢ２２１を参照し、無線タグ読取部２３から通知された電話番号がホーム番号であるか否かを調べる（Ｓ２０６）。ホーム番号である場合は（Ｓ２０６でＹＥＳ）、Ｓ２１１に進む。一方、ホーム番号でない場合（Ｓ２０６でＮＯ）、番号管理部２４は、テンポラリ番号管理ＴＢ２２２を参照し、この電話番号がテンポラリ番号としてフィールド２２２１に登録されているレコード２２２０を検索する（Ｓ２０７）。
【００５４】
無線タグ読取部２３から通知された電話番号がテンポラリ番号としてフィールド２２２１に登録されているレコード２２２０を検索できた場合（Ｓ２０８でＹＥＳ）、番号管理部２４は、このレコード２２２０のフィールド２２２４に登録されている更新日時を現在日時に更新する（Ｓ２０９）。それから、Ｓ２１０に進む。
【００５５】
一方、無線タグ読取部２３から通知された電話番号がテンポラリ番号としてフィールド２２２１に登録されているレコード２２２０を検索できなかった場合（Ｓ２０８でＮＯ）、番号管理部２４は、テンポラリ番号管理ＴＢ２２２に新たなレコード２２２０を追加する。そして、このレコード２２２０のフィールド２２２１に、無線タグ読取部２３から通知された電話番号を、フィールド２２２２に、この電話番号の番号種別（内線番号か、それともグループ番号か）を、そして、フィールド２２２４に現在日時を登録する（Ｓ２１２）。ここで、無線タグ読取部２３から通知された電話番号が内線番号であるか、それともグループ番号であるかの判断は、上述したように、例えば内線番号を割り当てる範囲と、グループ番号を割り当てる範囲とを予め定めておき、この電話番号がどちらの範囲に属するかで行ってもよい。あるいは、電話番号とともにこの電話番号の番号種別を無線タグ４に登録しておき、無線タグ読取部２３が、電話番号とともにこの電話番号の番号種別を無線タグ４から読み取るようにしてもよい。
【００５６】
次に、番号管理部２４は、追加・削除要求部２５に対して、この電話番号のテンポラリ番号への追加を指示する。これを受けて、追加・削除要求部２５は、この電話番号の指定を含む追加要求を生成し、この追加要求を、通信ＩＦ部２１を介して呼制御装置１に送信する（Ｓ２１３）。その後、追加・削除要求部２５は、通信ＩＦ部２１を介して呼制御装置１からユーザ設定情報を受信し（Ｓ２１４）、番号管理部２４は、Ｓ２１２で新たに追加したレコード２２２０のフィールド２２２３にこのユーザ設定情報を登録するとともに、そのレコード２２２０のフィールド２２２４の更新日時を現在日時に更新する（Ｓ２１５）。それから、Ｓ２１０に進む。
【００５７】
Ｓ２１０において、無線タグ読取部２３は、Ｓ２０４で選択した無線タグ４に格納されている全ての電話番号を読み取ったか否かを判断する。未読取の電話番号があるならば（Ｓ２１０でＮＯ）、Ｓ２０５に戻って、未読取の電話番号をこの無線タグ４から読み取る。一方、選択した無線タグ４に格納されている全ての電話番号を読み取ったならば（Ｓ２１０でＹＥＳ）、Ｓ２１１に進む。
【００５８】
Ｓ２１１において、無線タグ読取部２３は、Ｓ２０２で検出した無線タグ４のなかに未選択の無線タグ４があるか否かを判断する。未選択の無線タグ４があるならば（Ｓ２１１でＹＥＳ）、Ｓ２０４に戻って、Ｓ２０２で検出した無線タグ４のなかから未選択の無線タグ４を選択する。一方、Ｓ２０２で検出した無線タグ４が全て選択済みであるならば（Ｓ２１１でＮＯ）、Ｓ２１６に進む。
【００５９】
Ｓ２１６において、番号管理部２４は、テンポラリ番号管理ＴＢ２２２を参照し、フィールド２２２４に登録されている更新日時から所定時間（例えば３分）の経過によりタイムアウトしたレコード２２２０があるか否かを調べる（Ｓ２１６）。タイムアウトしたレコード２２２０がある場合（Ｓ２１７でＹＥＳ）、番号管理部２４は、このレコード２２２０をテンポラリ番号管理ＴＢ２２２から削除する（Ｓ２１８）。また、番号管理部２４は、追加・削除要求部２５に対して、この削除したレコード２２２０のフィールド２２２１にテンポラリ番号として登録されていた電話番号の、テンポラリ番号からの削除を指示する。これを受けて、追加・削除要求部２５は、この電話番号の指定を含む削除要求を生成し、この削除要求を、通信ＩＦ部２１を介して呼制御装置１に送信する（Ｓ２１９）。
【００６０】
図８は、ＩＰ電話端末２の発着信動作を説明するためのフロー図である。
【００６１】
電話機能部２６は、通信ＩＦ部２１を介して呼制御装置１から接続要求が着信すると（Ｓ２３１でＹＥＳ）、この接続要求で指定されている接続先番号を取得する（Ｓ２３２）。それから、電話機能部２６は、例えば、この接続先番号がホーム番号管理ＴＢ２２１に登録されているか、あるいはテンポラリ番号管理ＴＢ２２２に登録されているかを調べることにより、この接続先番号がホーム番号であるか、それともテンポラリ番号であるかを判断する（Ｓ２３３）。
【００６２】
接続先番号がホーム番号である場合（Ｓ２３３で「ホーム番号」）、電話機能部２６は、この接続先番号をキーにしてホーム番号管理ＴＢ２２１からレコード２２１０を検索し（Ｓ２３４）、このレコード２２１０のフィールド２２１３に登録されているユーザ設定情報に従って着信処理を行う（Ｓ２３５）。例えば、ユーザ設定情報に着信音の設定情報が含まれているならば、この設定情報に従い着信音を出力する。あるいは、ユーザ設定情報に着信表示の設定情報が含まれているならば、この設定情報に従い着信表示を行う。
【００６３】
一方、接続先番号がテンポラリ番号である場合（Ｓ２３３で「テンポラリ番号」）、電話機能部２６は、この接続先番号をキーにしてテンポラリ番号管理ＴＢ２２２からレコード２２２０を検索し（Ｓ２３６）、このレコード２２２０のフィールド２２２３に登録されているユーザ設定情報に従って着信処理を行う（Ｓ２３７）。例えば、ユーザ設定情報に着信音の設定情報が含まれているならば、この設定情報に従い着信音を出力する。あるいは、ユーザ設定情報に着信表示の設定情報が含まれているならば、この設定情報に従い着信表示を行う。
【００６４】
また、電話機能部２６は、ユーザから発信指示を受け付けると（Ｓ２３８でＹＥＳ）、この発信指示に先立ってユーザから発信者番号の指定を受けたか否かを判断する（Ｓ２３９）。ここで、発信者番号の指定は、ユーザから直接番号の入力を受け付けるようにしてもよい。あるいは、番号種別「内線番号」に対応付けられてテンポラリ番号管理ＴＢ２２２に登録されているテンポラリ番号を一覧表示して、その一覧のなかからユーザに発信者番号を選択させてもよい。
【００６５】
発信者番号の指定がある場合（Ｓ２３９でＹＥＳ）、電話機能部２６は、この発信者番号をキーにしてテンポラリ番号管理ＴＢ２２２からレコード２２２０を検索し（Ｓ２４０）、このレコード２２２０のフィールド２２２３に登録されているユーザ設定情報に従って、この発信者番号を用いた発信処理を行う（Ｓ２４１）。例えば、ユーザ設定情報に電話帳データが含まれているならば、電話機能部２６は、この電話帳データを表示して、発信先の電話番号の指定を受け付ける。
【００６６】
発信者番号の指定がない場合（Ｓ２３９でＮＯ）、電話機能部２６は、番号種別「内線番号」に対応付けられたホーム番号のレコード２２１０をホーム番号管理ＴＢ２２１から検索し（Ｓ２４２）、このレコード２２２０のフィールド２２１３に登録されているユーザ設定情報に従って、このホーム番号を発信者番号として発信処理を行う（Ｓ２４３）。例えば、ユーザ設定情報に電話帳データが含まれているならば、電話機能部２６は、この電話帳データを表示して、発信先の電話番号の指定を受け付ける。
【００６７】
次に、本発明の第一実施の形態に係るＩＰ電話システムの動作例を説明する。
【００６８】
図９は、内線番号を接続先番号とする接続要求を呼制御装置１が受信した場合における本発明の第一実施の形態に係るＩＰ電話システムの動作例を示すシーケンス図である。
【００６９】
ここでは、番号種別「内線番号」のホーム番号をホーム内線番号と呼び、番号種別「内線番号」のテンポラリ番号をテンポラリ内線番号と呼ぶこととする。
【００７０】
ホーム内線番号「１０１」のＩＰ電話端末２のユーザが、ホーム内線番号「１０２」のＩＰ電話端末２に近づくと、ホーム内線番号「１０２」のＩＰ電話端末２は、このユーザが携帯あるいは着用している物に取り付けられている無線タグ４から内線番号「１０１」を読み取る（Ｓ３０１）。そして、この内線番号「１０１」をテンポラリ内線番号として登録するとともに（Ｓ３０２）、内線番号「１０１」の指定を含む追加要求を呼制御装置１に送信する（Ｓ３０３）。
【００７１】
呼制御装置１は、ホーム内線番号「１０２」のＩＰ電話端末２から追加要求を受信すると、この追加要求に含まれている内線番号「１０１」に対するテンポラリアドレスとして、ホーム内線番号「１０２」のＩＰ電話端末２のＩＰアドレス「１７２．１６．１．２」を登録する（Ｓ３０４）。また、内線番号「１０１」に対するユーザ設定情報を検索し（Ｓ３０５）、このユーザ設定情報をホーム内線番号「１０２」のＩＰ電話端末２に送信する（Ｓ３０６）。
【００７２】
これを受けてホーム内線番号「１０２」のＩＰ電話端末２は、呼制御装置１から受信したユーザ設定情報をテンポラリ内線番号「１０１」に対応付けて登録する（Ｓ３０７）。
【００７３】
さて、呼制御装置１が、接続先番号「１０１」の接続要求を受信したとする（Ｓ３０８）。呼制御装置１は、接続先番号「１０１」にテンポラリアドレス「１７２．１６．１．２」が設定されていることを確認し（Ｓ３０９）、このテンポラリアドレスにより特定されるホーム内線番号「１０２」のＩＰ電話端末２に、接続先番号「１０１」の接続要求を送信する（Ｓ３１０）。
【００７４】
これを受けてホーム内線番号「１０２」のＩＰ電話端末２は、接続先番号「１０１」に対応付けられて記憶されているユーザ設定情報に従い着信処理を開始する（Ｓ３１１）。
【００７５】
図１０は、グループ番号を接続先番号とする接続要求を呼制御装置１が受信した場合における本発明の第一実施の形態に係るＩＰ電話システムの動作例を示すシーケンス図である。
【００７６】
ここでは、番号種別「内線番号」のホーム番号をホーム内線番号と呼び、番号種別「グループ番号」のホーム番号をホームグループ番号と呼び、番号種別「グループ番号」のテンポラリ番号をテンポラリグループ番号と呼ぶこととする。
【００７７】
ホームグループ番号「００１」のＩＰ電話端末２のユーザが、ホーム内線番号「１０２」のＩＰ電話端末２に近づくと、ホーム内線番号「１０２」のＩＰ電話端末２は、このユーザが携帯あるいは着用している物に取り付けられている無線タグ４からグループ番号「００１」を読み取る（Ｓ３５１）。そして、このグループ番号「００１」をテンポラリグループ番号として登録するとともに（Ｓ３５２）、グループ番号「００１」の指定を含む追加要求を呼制御装置１に送信する（Ｓ３５３）。
【００７８】
呼制御装置１は、ホーム内線番号「１０２」のＩＰ電話端末２から追加要求を受信すると、この追加要求に含まれているグループ番号「００１」に対するテンポラリアドレスとして、ホーム内線番号「１０２」のＩＰ電話端末２のＩＰアドレス「１７２．１６．１．２」を登録する（Ｓ３５４）。また、グループ番号「００１」に対するユーザ設定情報を検索し（Ｓ３５５）、このユーザ設定情報をホーム内線番号「１０２」のＩＰ電話端末２に送信する（Ｓ３５６）。
【００７９】
これを受けて、ホーム内線番号「１０２」のＩＰ電話端末２は、呼制御装置１から受信したユーザ設定情報をテンポラリグループ番号「００１」に対応付けて登録する（Ｓ３５７）。
【００８０】
さて、呼制御装置１が、接続先番号「００１」の接続要求を受信したとする（Ｓ３５８）。呼制御装置１は、接続先番号「００１」にテンポラリアドレス「１７２．１６．１．２」が設定されていることを確認し（Ｓ３５９）、このテンポラリアドレスにより特定されるホーム内線番号「１０２」のＩＰ電話端末２に、接続先番号「００１」の接続要求を送信する（Ｓ３６０）。これを受けて、ホーム内線番号「１０２」のＩＰ電話端末２は、接続先番号「００１」に対応付けられて記憶されているユーザ設定情報に従い着信処理を開始する（Ｓ３６１）。
【００８１】
また、呼制御装置１は、接続先番号「００１」に対応するホームアドレスがマルチキャストアドレス「２２４．１．１．１」であることを確認し（Ｓ３６２）、このマルチキャストアドレスにより特定されるマルチキャストグループに属するホームグループ番号「００１」の各ＩＰ電話端末２に、接続先番号「００１」の接続要求を送信する（Ｓ３６３）。これを受けて、ホームグループ番号「００１」の各ＩＰ電話端末２は、接続先番号「００１」に対応付けられて記憶されているユーザ設定情報に従い着信処理を開始する（Ｓ３６４、Ｓ３６５）。
【００８２】
以上、本発明の第一実施の形態を説明した。
【００８３】
本実施の形態において、ＩＰ電話端末２は、自ＩＰ電話端末２を通常使用するホームユーザの電話番号であるホーム番号に加え、自ＩＰ電話端末２を一時的に使用するテンポラリユーザの電話番号であるテンポラリ番号が設定された場合に、このテンポラリ番号の指定を含む追加要求を呼制御装置１に送信し、テンポラリ番号の設定が解除された場合に、このテンポラリ番号の指定を含む削除要求を呼制御装置１に送信する。
【００８４】
また、呼制御装置１は、ＩＰ電話端末２から追加要求を受信した場合に、このＩＰ電話端末２のＩＰアドレスをテンポラリアドレスとして、この追加要求で指定されているテンポラリ番号に対応付けて記憶するとともに、ＩＰ電話端末２から削除要求を受信した場合に、この削除要求で指定されているテンポラリ番号に対応付けられて記憶されているテンポラリアドレスを削除する。そして、呼制御装置１は、接続要求を受信した場合に、この接続要求の接続先番号に対応付けられて記憶されているテンポラリアドレスがあるならば、このテンポラリアドレスにより特定されるＩＰ電話端末２に対して接続処理を行う。この接続要求の接続先番号に対応付けられて記憶されているテンポラリアドレスがないならば、この接続要求の接続先番号に対応付けられて予め記憶されているホームアドレスにより特定されるＩＰ電話端末２に対して接続処理を行う。
【００８５】
したがって、本実施の形態によれば、ユーザは、移動先のＩＰ電話端末２を、自身の座席に設置されているＩＰ電話端末２として取り扱うことができる。また、ホームユーザおよびテンポラリユーザ間でＩＰ電話端末２を共用することができる。
【００８６】
また、本実施の形態において、呼制御装置１は、ＩＰ電話端末２から追加要求を受信した場合に、この追加要求で指定されているテンポラリ番号に対応付けられてユーザ設定情報記憶部１４に記憶されているユーザ設定情報を、この追加要求の送信元に送信する。
【００８７】
また、ＩＰ電話端末２は、呼制御装置１に追加要求を送信した場合に、呼制御装置１からユーザ設定情報を受信して、このユーザ設定情報を、この追加要求で指定したテンポラリ番号に対応付けてテンポラリ番号管理ＴＢ２２２に登録する。そして、呼制御装置１から接続要求が着信した場合に、この接続要求の接続先番号に対応付けられてホーム番号管理ＴＢ２２１、テンポラリ番号管理ＴＢ２２２に記憶されているユーザ設定情報に従って着信処理を行う。
【００８８】
したがって、本実施の形態によれば、着信音、着信表示等の設定を、接続先番号に対応するユーザ毎に使い分けることができる。
【００８９】
また、本実施の形態において、呼制御装置１は、グループ番号を接続先番号とする接続要求を受信した場合に、このグループ番号に対応付けられてグループ管理ＴＢ１２２に記憶されているテンポラリアドレスがあるならば、このテンポラリアドレスにより特定されるＩＰ電話端末２と、このグループ番号に対応付けられてグループ管理ＴＢ１２２に記憶されているホームアドレス（マルチキャストアドレス）に属する各ＩＰ電話端末２とに対して接続処理を行い、このグループ番号に対応付けられてグループ管理ＴＢ１２２に記憶されているテンポラリアドレスがないならば、このグループ番号に対応付けられてグループ管理ＴＢ１２２に記憶されているホームアドレス（マルチキャストアドレス）に属する各ＩＰ電話端末２に対して接続処理を行う。
【００９０】
したがって、本実施の形態によれば、あるマルチキャストグループに属するＩＰ電話端末２のユーザは、移動先のＩＰ電話端末２を使って、このマルチキャストグループに対する着信に応答することができる。
【００９１】
また、本実施の形態によれば、ＩＰ電話端末２は、近隣の無線タグ４をサーチする。そして、サーチによって無線タグ４が検出された場合に、この無線タグ４から電話番号を読み取り、その電話番号を、テンポラリ番号としてテンポラリ番号管理ＴＢ２２２に追加する。一方、サーチによって無線タグ４が検出されなくなった場合に、この無線タグ４から読み取られ、テンポラリ番号としてテンポラリ番号管理ＴＢ２２２に記憶された電話番号をテンポラリ番号管理ＴＢ２２２から削除する。
【００９２】
したがって、本実施の形態によれば、テンポラリ番号のＩＰ電話端末２への追加・削除を、ユーザの位置に応じて自動で行うことができる。
【００９３】
［第二実施の形態］
図１１は、本発明の第二実施の形態に係るＩＰ電話システムの概略構成図である。
【００９４】
図示するように、本実施の形態のＩＰ電話システムが、図１に示す第一実施の形態に係るＩＰ電話システムと異なる点は、ＩＰ電話端末２に代えてＩＰ電話端末２Ａを設けたこと、無線タグ４をこの無線タグ４のユーザが所持する携帯電話端末５に取り付けたこと、および携帯電話端末５の充電台６を各ＩＰ電話端末２Ａに接続したことである。その他の構成は図１に示す第一実施の形態と同様である。
【００９５】
図１２は、ＩＰ電話端末２Ａの概略構成図である。
【００９６】
図示するように、本実施の形態のＩＰ電話端末２Ａが、図５に示す第一実施の形態のＩＰ電話端末２と異なる点は、無線タグ読取部２３、番号管理部２４に代えて無線タグ読取部２３Ａ、番号管理部２４Ａを設けたこと、テンポラリ番号管理ＴＢ２２２の各レコード２２２０のフィールド２２２４が不要なこと、および充電台ＩＦ部２７、載置状態検出部２８を追加したことである。その他の構成は図５に示す第一実施の形態と同様である。
【００９７】
充電台ＩＦ部２７は、充電台６に載置された携帯電話端末５を充電するためのインターフェースである。
【００９８】
載置状態検出部２８は、充電台ＩＦ部２７に接続された充電台６の負荷状態に基づいて携帯電話端末５の充電台６への載置状態を検出し、その検出結果を無線タグ読取部２３Ａおよび番号管理部２４Ａに通知する。
【００９９】
無線タグ読取部２３Ａは、載置状態検出部２８により携帯電話端末５の充電台６への載置が検出されると、この携帯電話端末５に取り付けられた無線タグ４に格納されている電話番号を読み取って、この電話番号を番号管理部２４Ａに通知する。なお、充電台６に載置された携帯電話端末５に取り付けられた無線タグ４以外の無線タグ４から誤って電話番号を読み取らないように、無線タグ読取部２３Ａの無線タグ読取範囲、または、居室等における充電台６の配置位置を設定することが好ましい。
【０１００】
番号管理部２４Ａは、無線タグ読取部２３Ａから電話番号を通知された場合に、この電話番号をテンポラリ番号とするレコード２２２０をテンポラリ番号管理ＴＢ２２２に追加する。また、このテンポラリ番号の追加を追加・削除要求部２５に指示して、追加・削除要求部２５からユーザ設定情報を取得し、この追加したレコード２２２０のフィールド２２２３に登録する。また、番号管理部２４Ａは、載置状態検出部２８により携帯充電台６からの電話端末５の取り外しが検出されると、テンポラリ番号管理ＴＢ２２２に登録されている各レコード２２２０を削除すると共に、削除したレコード２２２０のフィールド２２２１に登録されていたテンポラリ番号の削除を追加・削除要求部２５に指示する。
【０１０１】
図１３は、ＩＰ電話端末２Ａのテンポラリ番号管理動作を説明するためのフロー図である。なお、本実施の形態のＩＰ電話端末２Ａの発着信動作は、図８に示す第一実施の形態のものと同様である。
【０１０２】
載置状態検出部２８は、充電台６への携帯電話端末５の載置を検出すると（Ｓ２３１でＹＥＳ）、その旨を無線タグ読取部２３Ａに通知する。これを受けて、無線タグ読取部２３Ａは、自ＩＰ電話端末２の近傍（無線タグ読取部２３Ａの読取圏内）に存在する無線タグ４をサーチする。そして、無線タグ４を検出できた場合（Ｓ２３２でＹＥＳ）、無線タグ読取部２３Ａは、検出した無線タグ４から電話番号を読み取って、番号管理部２４Ａに通知する（Ｓ２３３）。
【０１０３】
次に、番号管理部２４Ａは、ホーム番号管理ＴＢ２２１を参照し、無線タグ読取部２３Ａから通知された電話番号がホーム番号であるか否かを調べる（Ｓ２３４）。ホーム番号である場合は（Ｓ２３４でＹＥＳ）、Ｓ２３１に戻る。一方、ホーム番号でない場合（Ｓ２３４でＮＯ）、番号管理部２４Ａは、テンポラリ番号管理ＴＢ２２２に新たなレコード２２２０を追加し、このレコード２２２０のフィールド２２２１に、無線タグ読取部２３Ａから通知された電話番号を登録するとともに、このレコード２２２０のフィールド２２２２に、この電話番号の番号種別（内線番号か、それともグループ番号か）を登録する（Ｓ２３５）。
【０１０４】
次に、番号管理部２４Ａは、追加・削除要求部２５に対して、テンポラリ番号へのこの電話番号の追加を指示する。これを受けて、追加・削除要求部２５は、この電話番号の指定を含む追加要求を生成し、この追加要求を、通信ＩＦ部２１を介して呼制御装置１に送信する（Ｓ２３６）。その後、追加・削除要求部２５は、通信ＩＦ部２１を介して呼制御装置１からユーザ設定情報を受信し（Ｓ２３７）、Ｓ２３５で新たに追加したレコード２２２０のフィールド２２２３にこのユーザ設定情報を登録する（Ｓ２３８）。
【０１０５】
それから、無線タグ読取部２３Ａは、検出した無線タグ４に格納されている全ての電話番号を読み取ったか否かを判断する。未読取の電話番号があるならば（Ｓ２３９でＮＯ）、Ｓ２３３に戻って、未読取の電話番号をこの無線タグ４から読み取る。一方、検出した無線タグ４に格納されている全ての電話番号を読み取ったならば（Ｓ２３９でＹＥＳ）、Ｓ２３１に戻る。
【０１０６】
また、載置状態検出部２８は、充電台６からの携帯電話端末５の取り外しを検出すると（Ｓ２４０でＹＥＳ）、その旨を番号管理部２４Ａに通知する。これを受けて、番号管理部２４Ａは、テンポラリ番号管理ＴＢ２２２から全レコード２２２０を削除する（Ｓ２４１）。また、番号管理部２４Ａは、追加・削除要求部２５に対して、削除した各レコード２２２０のフィールド２２２１にテンポラリ番号として登録されていた電話番号の、テンポラリ番号からの削除を指示する。これを受けて、追加・削除要求部２５は、削除したレコード２２２０毎に、このレコード２２２０のフィールド２２２１にテンポラリ番号として登録されていた電話番号の指定を含む削除要求を生成する。そして、通信ＩＦ部２１を介して呼制御装置１に、この削除要求を送信する（Ｓ２４２）。
【０１０７】
以上、本発明の第二実施の形態を説明した。
【０１０８】
本実施の形態において、ＩＰ電話端末２Ａは、携帯電話端末５が充電台６に載置されると、この携帯電話端末５に取り付けられた無線タグ４から電話番号を読み取って、これをテンポラリ番号として記憶する。また、携帯電話端末５が充電台６から取り外されると、自ＩＰ電話端末２Ａに記憶されているテンポラリ番号を削除する。
【０１０９】
したがって、本実施の形態によれば、ＩＰ電話端末２Ａを利用するために充電台６に携帯電話端末５を載置したユーザのホーム番号を、このＩＰ電話端末２Ａのテンポラリ番号として、より確実に登録することが可能となる。その他の効果は、上記の第一実施の形態と同様である。
【０１１０】
なお、本実施の形態では、充電台６への携帯電話端末５の載置状態の変化を契機に、無線タグ４からＩＰ電話端末２Ａへのテンポラリ番号の読み込み、およびＩＰ電話端末２Ａに記憶されたテンポラリ番号の削除を行っている。しかし、本発明はこれに限定されない。ユーザの指示受付といった所定のイベントを契機に、無線タグ４からＩＰ電話端末２Ａへのテンポラリ番号の読み込み、およびＩＰ電話端末２Ａに記憶されたテンポラリ番号の削除を行うようにしてもよい。
【０１１１】
［第三実施の形態］
本実施の形態のＩＰ電話システムが、図１に示す第一実施の形態に係るＩＰ電話システムと異なる点は、呼制御装置１に代えて呼制御装置１Ｂを設けたこと、およびＩＰ電話端末２に代えてＩＰ電話端末２Ｂを設けたことである。その他の構成は図１に示す第一実施の形態と同様である。
【０１１２】
本実施の形態では、呼制御装置１Ｂに留守録機能を設け、呼制御装置１Ｂに記憶された留守録データを移動先のＩＰ電話端末２Ｂで確認できるようにしている。
【０１１３】
図１４は、呼制御装置１Ｂの概略構成図である。
【０１１４】
図示するように、本実施の形態の呼制御装置１Ｂが、図２に示す第一実施の形態の呼制御装置１と異なる点は、ユーザ設定情報送信部１５に代えて、ユーザ設定情報・留守録データ送信部１８を設けたこと、および留守録機能部１７を新たに追加したことである。その他の構成は、図２に示す第一実施の形態と同様である。
【０１１５】
留守録機能部１７は、ＩＰ電話端末２Ｂに対する接続処理において、このＩＰ電話端末２Ｂが応答しない場合に、呼制御部１６の指示に従い代理応答して、このＩＰ電話端末２Ｂの通話相手の音声データ（留守録データ）を録音する。そして、この留守録データを接続先の電話番号に対応付けて記憶する。
【０１１６】
ユーザ設定情報・留守録データ送信部１８は、アドレス管理部１３より通知されたテンポラリ番号をキーにしてユーザ設定情報記憶部１４からレコード１４０を検索する。そして、検索したレコード１４０のフィールド１４２に登録されているユーザ設定情報を、このテンポラリ番号と共にアドレス管理部１３より通知されたＩＰアドレスにより特定されるＩＰ電話端末２Ｂに、通信ＩＦ部１１を介して送信する。
【０１１７】
また、ユーザ設定情報・留守録データ送信部１８は、アドレス管理部１３より通知されたテンポラリ番号に対応する留守録データが留守録機能部１７に記憶されているか否かを調べ、該当する留守録データが記憶されている場合に、この留守録データを、このテンポラリ番号と共にアドレス管理部１３より通知されたＩＰアドレスにより特定されるＩＰ電話端末２Ｂに、通信ＩＦ部１１を介して送信する。
【０１１８】
本実施の形態の呼制御装置１Ｂでは、図４に示すＳ１１０、Ｓ１１１、Ｓ１１４、およびＳ１１５の接続処理において、接続先のＩＰ電話端末２Ｂが応答しない場合に、呼制御部１６が、このＩＰ電話端末２Ｂの通話相手を留守録機能部１７に接続し、これを受けて、留守録機能部１７が、留守録データを録音し、その留守録データを接続先の電話番号に対応付けて記憶する。
【０１１９】
また、図４に示すＳ１０３のユーザ設定情報送信処理において、ユーザ設定情報・留守録データ送信部１８が、アドレス管理部１３より通知されたテンポラリ番号に対応付けられてユーザ設定情報記憶部１４に記憶されているユーザ設定情報を、このテンポラリ番号と共にアドレス管理部１３より通知されたＩＰアドレスにより特定されるＩＰ電話端末２に、通信ＩＦ部１１を介して送信するとともに、このテンポラリ番号に対応する留守録データが留守録機能部１７に記憶されているか否かを調べ、該当する留守録データが記憶されている場合に、この留守録データを、このＩＰ電話端末２Ｂに、通信ＩＦ部１１を介して送信する。
【０１２０】
その他の動作は、図４に示す第一実施の形態の呼制御装置１の動作と同様である。
【０１２１】
図１５は、ＩＰ電話端末２Ｂの概略構成図である。
【０１２２】
図示するように、本実施の形態のＩＰ電話端末２Ｂが、図５に示す第一実施の形態のＩＰ電話端末２と異なる点は、追加・削除要求部２５に代えて追加・削除要求部２５Ｂを設けたこと、および留守録再生機能部２９を追加したことである。その他の構成は、図５に示す第一実施の形態と同様である。
【０１２３】
追加・削除要求部２５Ｂは、番号管理部２４からテンポラリ番号の追加を指示された場合に、このテンポラリ番号の指定を含む追加要求を生成して、この追加要求を、通信ＩＦ部２１を介して呼制御装置１に送信する。そして、通信ＩＦ部２１を介して呼制御装置１からユーザ設定情報を受信し、このユーザ設定情報を番号管理部２４に通知する。このとき、ユーザ設定情報と共に留守録データを受信したならば、この留守録データを、追加要求で指定したテンポラリ番号とともに留守録再生機能部２９に渡す。
【０１２４】
また、追加・削除要求部２５Ｂは、番号管理部２４からテンポラリ番号の削除を指示された場合に、このテンポラリ番号の指定を含む削除要求を生成して、この削除要求を、通信ＩＦ部２１を介して呼制御装置１に送信するとともに、このテンポラリ番号の指定を含む留守録データの削除指示を留守録再生機能部２９に出力する。
【０１２５】
留守録再生機能部２９は、追加・削除要求部２５Ｂからテンポラリ番号とともに受信した留守録データを電話機能部２６を用いて再生する。また、この留守録データを、このテンポラリ番号に対応付けて保存する。
【０１２６】
また、留守録再生機能部２９は、追加・削除要求部２５Ｂからテンポラリ番号の指定を伴う留守録データの削除指示を受信した場合に、このテンポラリ番号に対応付けられて保存されている留守録データがあるならば、この留守録データを削除する。
【０１２７】
本実施の形態のＩＰ電話端末２Ｂでは、図７に示すＳ２１４のユーザ設定情報受信処理において、追加・削除要求部２５Ｂが、呼制御装置１Ｂからユーザ設定情報とともに留守録データを受信した場合に、この留守録データを、追加要求で指定したテンポラリ番号とともに留守録再生機能部２９に渡す。これを受けて、留守録再生機能部２９が、この留守録データを、このテンポラリ番号に対応付けて保存するとともに、電話機能部２６を用いてこの留守録データを再生する。
【０１２８】
また、図７に示すＳ２１９の削除要求送信処理において、追加・削除要求部２５Ｂが、削除要求で指定したテンポラリ番号の指定を伴う留守録データの削除指示を留守録再生機能部２９に通知する。これを受けて、留守録再生機能部２９が、このテンポラリ番号に対応付けられて保存されている留守録データがあるならば、この留守録データを削除する。
【０１２９】
その他の動作は、図７および図８に示す第一実施の形態のＩＰ電話端末２の動作と同様である。
【０１３０】
次に、本発明の第三実施の形態に係るＩＰ電話システムの動作例を説明する。
【０１３１】
図１６は、呼制御装置１Ｂが接続要求を受信した場合における、本発明の第三実施の形態に係るＩＰ電話システムの動作例を示すシーケンス図である。
【０１３２】
ここでは、番号種別「内線番号」のホーム番号をホーム内線番号と呼び、番号種別「内線番号」のテンポラリ番号をテンポラリ内線番号と呼ぶこととする。
【０１３３】
呼制御装置１Ｂは、接続先番号「１０１」の接続要求を受信すると（Ｓ４０１）、接続先番号「１０１」にテンポラリアドレスが設定されていないことを確認し、この接続先番号「１０１」のホームアドレス「１７２．１６．１．１」を選択する（Ｓ４０２）。そして、このホームアドレスにより特定されるホーム内線番号「１０１」のＩＰ電話端末２Ｂに、接続先番号「１０１」の接続要求を送信する（Ｓ４０３）。
【０１３４】
これを受けて、ホーム内線番号「１０１」のＩＰ電話端末２Ｂは、接続先番号「１０１」に対応付けられて記憶されているユーザ設定情報に従い着信処理を開始する（Ｓ４０４）。ここで、ホーム内線番号「１０１」のＩＰ電話端末２Ｂのユーザが移動中であり、このため、ホーム内線番号「１０１」のＩＰ電話端末２Ｂが、この接続要求に応答しなかったとする（Ｓ４０５）。この場合、呼制御装置１Ｂは、代理応答して、接続要求の送信元の留守録データを録音し、この留守録データを、接続先番号「１０１」に対応付けて保存する（Ｓ４０６）。
【０１３５】
さて、ホーム内線番号「１０１」のＩＰ電話端末２Ｂのユーザが、ホーム内線番号「１０２」のＩＰ電話端末２Ｂに近づくと、ホーム内線番号「１０２」のＩＰ電話端末２Ｂは、このユーザが携帯あるいは着用している物に取り付けられている無線タグ４から内線番号「１０１」を読み取る（Ｓ４０７）。そして、この内線番号「１０１」をテンポラリ内線番号として登録するとともに（Ｓ４０８）、内線番号「１０１」の指定を含む追加要求を呼制御装置１Ｂに送信する（Ｓ４０９）。
【０１３６】
呼制御装置１Ｂは、ホーム内線番号「１０２」のＩＰ電話端末２Ｂから追加要求を受信すると、この追加要求に含まれている内線番号「１０１」に対するテンポラリアドレスとして、ホーム内線番号「１０２」のＩＰ電話端末２ＢのＩＰアドレス「１７２．１６．１．２」を登録する（Ｓ４１０）。また、内線番号「１０１」に対するユーザ設定情報を検索するとともに（Ｓ４１１）、内線番号「１０１」に対する留守録データを検索する（Ｓ４１２）。そして、検索したユーザ設定情報および留守録データをホーム内線番号「１０２」のＩＰ電話端末２Ｂに送信する（Ｓ４１３）。
【０１３７】
これを受けてホーム内線番号「１０２」のＩＰ電話端末２Ｂは、呼制御装置１Ｂから受信したユーザ設定情報をテンポラリ内線番号「１０１」に対応付けて登録する（Ｓ４１４）。また、呼制御装置１Ｂから受信した留守録データを、テンポラリ内線番号「１０１」に対応付けて保存する（Ｓ４１５）。なお、保存された留守録データは、ユーザが行うＩＰ電話端末２Ｂへの特定操作により再生されるが、ＩＰ電話端末２Ｂを共用する他者が再生できないようにパスワードを設けてもよい。この場合、Ｓ４１３のユーザ設定情報にパスワードも含める。
【０１３８】
以上、本発明の第三実施の形態を説明した。
【０１３９】
本実施の形態において、呼制御装置１Ｂは、接続要求に対してＩＰ電話端末２Ｂが応答しない場合に、この接続要求に代理応答して通話相手の留守録データを録音し、この録音データを、この接続要求の接続先番号に対応付けて保存する。また、ＩＰ電話端末２Ｂから追加要求を受信した場合に、この追加要求で指定されているテンポラリ番号に対応付けられて保存されている留守録データを、この追加要求の送信元に送信する。また、ＩＰ電話端末２Ｂは、呼制御装置１Ｂから留守録データを受信し、ユーザの特定操作により再生する。
【０１４０】
したがって、本実施の形態によれば、ユーザは、例えば移動中に自身のＩＰ電話端末２Ｂにかかってきた電話の留守録データを、簡易な操作で、移動先のＩＰ電話端末２Ｂで確認することが可能となる。その他の効果は、上記の第一実施の形態と同様である。
【０１４１】
なお、本実施の形態において、留守録データは音声データに限らない。例えば簡易メッセージ等のテキストデータや画像データであってもよい。
【０１４２】
また、本実施の形態において、無線タグ４からＩＰ電話端末２Ｂへのテンポラリ番号の読み込み、およびＩＰ電話端末２Ｂに記憶されたテンポラリ番号の削除は、上記の第二実施の形態のＩＰ電話システムと同様に、充電台６への携帯電話端末５の載置状態の変化を契機に行うようにしてもよい。
【０１４３】
本発明は上記の各実施の形態に限定されるものではなく、その要旨の範囲内で数々の変形が可能である。
【０１４４】
例えば、上記の各実施の形態において、呼制御装置１、１Ｂは、ＩＰ電話端末２、２Ａ、２Ｂから追加要求を受信した場合に、この追加要求で指定されているテンポラリ番号に対応付けられて記憶されているユーザ設定情報を、この追加要求の送信元に送信する。また、ＩＰ電話端末２、２Ａ、２Ｂは、呼制御装置１、１Ｂからユーザ設定情報を受信し、このユーザ設定情報を、この追加要求で指定したテンポラリ番号に対応付けて登録するとともに、呼制御装置１、１Ｂから接続要求が着信した場合に、この接続要求の接続先番号に対応付けられて記憶されているユーザ設定情報に従って着信処理を行う。
【０１４５】
しかし、本発明はこれに限定されない。呼制御装置１、１Ｂは、接続要求を受信した場合に、この接続要求の接続先番号に対応付けられて記憶されているユーザ設定情報に従い、接続先のＩＰ電話端末２、２Ａ、２Ｂに対して接続処理を行うようにしてもよい。この場合、呼制御装置１、１ＢからＩＰ電話端末２、２Ａ、２Ｂへユーザ設定情報を送信する必要はない。したがって、ＩＰ電話端末２、２Ａ、２Ｂにおいて、自身に割り当てられた電話番号に対応付けてユーザ設定情報を記憶しておく必要もない。
【０１４６】
また、上記の各実施の形態では、各ＩＰ電話端末２、２Ａ、２Ｂに、予めホーム番号が割り当てられていることを前提としている。しかし、本発明はこれに限定されない。予めホーム番号が割り当てられていないＩＰ電話端末２、２Ａ、２Ｂを用意し、これをフリーの共用電話端末として使用できるようにしてもよい。このようなフリーの共用端末に、無線タグ４によってテンポラリ番号を割り当ててしまえば、例えば部署の配置換えや人事異動の場合でもＩＰ電話システムの設定を変更する必要がなくなる。また、内線電話番号表等の変更も不要となる。
【０１４７】
また、上記の各実施の形態では、ホームユーザおよびテンポラリユーザがＩＰ電話端末２、２Ａ、２Ｂを共用する場合を例にとり説明したが、本発明はこれに限定されない。ＩＰ電話端末２、２Ａ、２Ｂにテンポラリ番号が設定されている間は、ホーム番号を無効としてテンポラリユーザ専用端末としてもよい。
【０１４８】
また、上記の各実施の形態では、ＩＰ電話端末２、２Ａ、２Ｂが、無線タグ４に格納された電話番号を読み取って、その電話番号をテンポラリ番号として登録している。しかし、本発明はこれに限定されない。無線タグ以外の非接触型の記憶媒体であってもよい。あるいは、ＩＣカード等の接触型の記憶媒体に電話番号を格納し、これを、ＩＰ電話端末２、２Ａ、２Ｂに接続された読取装置に挿入して読み取るようにしてもよい。
【０１４９】
また、上記の各実施の形態において、呼制御装置１、１Ｂ、およびＩＰ電話端末２、２Ａ、２Ｂの構成は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）などの集積ロジックＩＣによりハード的に実行されるものでもよいし、あるいはＤＳＰ（Ｄｉｇｉｔａｌ  Ｓｉｇｎａｌ  Ｐｒｏｃｅｓｓｏｒ）、ＰＣ（Ｐｅｒｓｏｎａｌ  Ｃｏｍｐｕｔｅｒ）などの計算機によりソフトウエア的に実行されるものでもよい。あるいは、ＣＰＵ、メモリ、ＨＤＤ、ＤＶＤ−ＲＯＭ等の補助記憶装置、およびＮＩＣ（Ｎｅｔｗｏｒｋ  Ｉｎｔｅｒｆａｃｅ  Ｃａｒｄ）を備えたＰＣ（Ｐｅｒｓｏｎａｌ  Ｃｏｍｐｕｔｅｒ）等の汎用コンピュータにおいて、ＣＰＵが所定のプログラムを補助記憶装置からメモリ上にロードして実行することで実現されるものでもよい。
【０１５０】
また、本発明はＩＰ電話システム以外の電話システムにも同様に適用できる。この場合、ＩＰアドレスの代わりに電話端末に割り当てた固有の識別情報（端末ＩＤ）を用いて、ホームアドレス、テンポラリアドレスを設定すればよい。
【図面の簡単な説明】
【０１５１】
【図１】図１は、本発明の第一実施の形態に係るＩＰ電話システムの概略構成図である。
【図２】図２は、呼制御装置１の概略構成図である。
【図３】図３（Ａ）は、個別管理ＴＢ１２１の登録内容例を模式的に表した図であり、図３（Ｂ）は、グループ管理ＴＢ１２２の登録内容例を模式的に表した図であり、図３（Ｃ）は、ユーザ設定情報記憶部１４の登録内容例を模式的に表した図である。
【図４】図４は、呼制御装置１の動作を説明するためのフロー図である。
【図５】図５は、ＩＰ電話端末２の概略構成図である。
【図６】図６（Ａ）は、ホーム番号管理ＴＢ２２１の登録内容例を模式的に表した図であり、図６（Ｂ）は、テンポラリ番号管理ＴＢ２２２の登録内容例を模式的に表した図である。
【図７】図７は、ＩＰ電話端末２のテンポラリ番号管理動作を説明するためのフロー図である。
【図８】図８は、ＩＰ電話端末２の発着信動作を説明するためのフロー図である。
【図９】図９は、内線番号を接続先番号とする接続要求を呼制御装置１が受信した場合における本発明の第一実施の形態に係るＩＰ電話システムの動作例を示すシーケンス図である。
【図１０】図１０は、グループ番号を接続先番号とする接続要求を呼制御装置１が受信した場合における本発明の第一実施の形態に係るＩＰ電話システムの動作例を示すシーケンス図である。
【図１１】図１１は、本発明の第二実施の形態に係るＩＰ電話システムの概略構成図である。
【図１２】図１２は、ＩＰ電話端末２Ａの概略構成図である。
【図１３】図１３は、ＩＰ電話端末２Ａのテンポラリ番号管理動作を説明するためのフロー図である。
【図１４】図１４は、呼制御装置１Ｂの概略構成図である。
【図１５】図１５は、ＩＰ電話端末２Ｂの概略構成図である。
【図１６】図１６は、呼制御装置１Ｂが接続要求を受信した場合における、本発明の第三実施の形態に係るＩＰ電話システムの動作例を示すシーケンス図である。
【符号の説明】
【０１５２】
１、１Ｂ：呼制御装置、２、２Ａ、２Ｂ：ＩＰ電話端末、３：ＬＡＮ、４：無線タグ、５：携帯電話端末、６：充電台、１１：通信ＩＦ部、１２：アドレス管理ＴＢ記憶部、１３：アドレス管理部、１４：ユーザ設定情報記憶部、１５：ユーザ設定情報送信部、１６：呼制御部、１７：留守録機能部、１８：ユーザ設定情報・留守録データ送信部、２１：通信ＩＦ部、２２：番号情報記憶部、２３、２３Ａ：無線タグ読取部、２４、２４Ａ：番号管理部、２５、２５Ｂ：追加・削除要求部、２６：電話機能部、２７：充電台ＩＦ部、２８：載置状態検出部、２９：留守録再生機能部、１２１：個別管理ＴＢ、１２２：グループ管理ＴＢ、２２１：ホーム番号管理ＴＢ、２２２：テンポラリ番号管理ＴＢ
【図１】
0005282435.tif 000002
【図２】
0005282435.tif 000003
【図３】
0005282435.tif 000004
【図４】
0005282435.tif 000005
【図５】
0005282435.tif 000006
【図６】
0005282435.tif 000007
【図７】
0005282435.tif 000008
【図８】
0005282435.tif 000009
【図９】
0005282435.tif 000010
【図１０】
0005282435.tif 000011
【図１１】
0005282435.tif 000012
【図１２】
0005282435.tif 000013
【図１３】
0005282435.tif 000014
【図１４】
0005282435.tif 000015
【図１５】
0005282435.tif 000016
【図１６】
0005282435.tif 000017